(57)【要約】【課題】従来の技術による諸問題を解決するための防振スピーカーを提供する。【解決手段】この発明による防振スピーカーは、エンクロージャーと、エンクロージャーの下方に設けられ、エンクロージャーを支持する底部と、エンクロージャーと底部の間に設けられ、拡声装置による振動を吸収する振動吸収具とを含む。【選択図】図２
2007097107.tif 000002
【特許請求の範囲】
【請求項１】
エンクロージャーと、
エンクロージャーの下方に設けられ、エンクロージャーを支持する底部と、
エンクロージャーと底部の間に設けられ、拡声装置による振動を吸収する振動吸収具とを含むことを特徴とする防振スピーカー。
【請求項２】
前記底部の下方には、スピーカーを載せる平面からエンクロージャーを支持するスタンドが設けられることを特徴とする請求項１記載の防振スピーカー。
【請求項３】
前記スタンドが鉄製であることを特徴とする請求項２記載の防振スピーカー。
【請求項４】
前記エンクロージャーの下方には、拡声装置の出音口に対応する位置に第一開口部が設けられ、前記底部には、第一開口部に対応する位置に第二開口部が設けられることを特徴とする請求項１記載の防振スピーカー。
【請求項５】
前記振動吸収具がシリコンゲルであることを特徴とする請求項１記載の防振スピーカー。
【請求項６】
前記振動吸収具がバネであることを特徴とする請求項１記載の防振スピーカー。
【請求項７】
前記スピーカーは更に、エンクロージャーと底部を固定する係止具を含むことを特徴とする請求項１記載の防振スピーカー。
【請求項８】
前記係止具がネジを含むことを特徴とする請求項７記載の防振スピーカー。
【請求項９】
前記エンクロージャーが曲面デザインのプラスチック製エンクロージャーであることを特徴とする請求項１記載の防振スピーカー。
【請求項１０】
前記スピーカーが重低音スピーカーであることを特徴とする請求項１記載の防振スピーカー。
【発明の詳細な説明】
【技術分野】
【０００１】
この発明はスピーカーに関し、特に防振スピーカーに関する。
【背景技術】
【０００２】
従来の重低音スピーカーは相当に大きい音圧を発生し、この音圧はスピーカー本体を振動させ、更にスピーカーを載せる地面または机面を振動させる。それによって雑音が生じ、スピーカーの出力に影響する。この問題を解決するため、従来の技術によれば、まずエンクロージャー（箱）の重量を増加する方法が考えられる。というのも、重い材質（例えば厚い木板）でつくられたエンクロージャーは振動を地面または机面に伝わる前に吸収し、振動によって生じる雑音を防ぐことができるからである。しかし、木板を使用すれば、スピーカーの外形は自由に設計することができないのみならず、木板を組み立てるときに接着工程が必要とされるため、生産速度を向上することも困難である。そのほか、スピーカーの音圧を減少することによって振動量を減少する方法も考えられる。しかし、この方法はスピーカーの出力を制限することとなる。なお、アンプリファイアーの回路をエンクロージャーの共振周波数と重ならないように調整する方法も考えられる。しかし、アンプリファイアーごとに回路設計が異なるので、スピーカーを別のアンプリファイアーと接続すればまた調整する必要がある。したがって、雑音をなくし、多様なデザインを可能にして種々のアンプリファイアーに適用するスピーカーの開発は課題となっている。
【発明の開示】
【発明が解決しようとする課題】
【０００３】
この発明は従来の技術による前記の問題を解決するための防振スピーカーを提供することを課題とする。
【課題を解決するための手段】
【０００４】
この発明による防振スピーカーは、エンクロージャーと、エンクロージャーの下方に設けられ、エンクロージャーを支持する底部と、エンクロージャーと底部の間に設けられ、拡声装置による振動を吸収する振動吸収具とを含む。
【発明の効果】
【０００５】
この発明によるスピーカーでは、エンクロージャーと底部の間に振動吸収具が設けられる。振動吸収具は拡声装置による振動を吸収する、またはエンクロージャーに吸収させることによって、振動の地面または机面への伝送及びそれによって生じる雑音を防止することができる。なお、全体の振動量が減少されるので、この発明による重低音スピーカーのエンクロージャーはプラスチックなど軽量の材質で製作することができる。それによりスピーカーの軽量化とデザインの多様化は実現される。更に、この発明では振動吸収具を調整することによって、スピーカーの共振周波数を出力信号周波数と重ならないように調整してあるので、別々のアンプリファイアーと接続するたびその回路をいちいち調整する必要がない。総じて言えば、この発明は、雑音をなくし、多様なデザインを可能にして種々のアンプリファイアーに適用するスピーカーを実現している。
【発明を実施するための最良の形態】
【０００６】
かかる装置の特徴を詳述するために、具体的な実施例を挙げ、図面を参照して以下説明する。
【０００７】
図１を参照する。図１はこの発明によるスピーカー１０を表す説明図である。重低音スピーカーであるスピーカー１０は、曲面デザインのプラスチック製エンクロージャー１４と、エンクロージャー１４の下方に設けられ、エンクロージャー１４を支持する底部１６と、底部１６の下方に設けられ、スピーカー１０を載せる平面（非表示）からエンクロージャー１４を支持する鉄製のスタンド１７とを含む。
【０００８】
図２を参照する。図２はこの発明によるスピーカー１０の組立図である。スピーカー１０のスタンド１７はエンクロージャー１４を地面または机面などの平面１２から支持する。スピーカー１０は更に、エンクロージャー１４に設けられ、音声信号を音波に変換する拡声装置１８と、エンクロージャー１４と底部１６の間に設けられる複数の振動吸収具２０とを含む。振動吸収装置２０は底部１６に固定されるシリコンゲルまたはバネなど、制動値または弾力係数を提供する防振構造である。スピーカー１０は更に、複数の振動吸収具２０にそれぞれ対応する、エンクロージャー１４と底部１６を固定するネジなど複数の係止具２２を含む。なお、エンクロージャー１４の下方には、拡声装置１８の出音口に対応する位置に第一開口部２４が設けられ、底部１６には、第一開口部２４に対応する位置に第二開口部２６が設けられる。スピーカー１０の拡声装置１８による音波は第一開口部２４と第二開口部２６を経由して出力される。
【０００９】
複数の振動吸収具２０は拡声装置１８を収容するエンクロージャー１４と底部１６を分離している。したがって、拡声装置１８による音圧がエンクロージャー１４を振動させるとき、底部１６に固定される振動吸収具２０は音圧による振動を吸収し、またはエンクロージャー１４に吸収させる（すなわちエンクロージャー１４を振動吸収装置とする）ことによって、エンクロージャー１４、底部１６とスタンド１７を経由する平面１２への振動の伝送と、それによる雑音を防止する。更に、振動吸収具２０の材質、数量または位置を調整することによって振動吸収具２０ないしスピーカー１０の制動値または弾力係数を変更し、それによりスピーカー１０の共振周波数を出力音声信号の周波数と重ならないように調整することができる。それゆえ、スピーカー１０を別々のアンプリファイアーと使い合わせるとき、スピーカーの共振周波数１０と重ならないようにアンプリファイアーの回路をいちいち調整する必要がない。というのも、振動吸収具２０は、スピーカー１０の共振周波数を出力音声信号の周波数と重ならないように調整してあるからである。
【００１０】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１１】
この発明によるスピーカーでは、エンクロージャーと底部の間に振動吸収具が設けられる。振動吸収具は拡声装置による振動を吸収するか、またはエンクロージャーに吸収させることによって、振動の地面または机面への伝送及びそれによって生じる雑音を防止することができる。なお、全体の振動量が減少されるので、この発明による重低音スピーカーのエンクロージャーはプラスチックなど軽量の材質で製作することができる。それによりスピーカーの軽量化とデザインの多様化は実現される。
【図面の簡単な説明】
【００１２】
【図１】この発明によるスピーカーを表す説明図である。
【図２】この発明によるスピーカーの組立図である。
【符号の説明】
【００１３】
１０        スピーカー
１２        平面
１４        エンクロージャー
１６        底部
１７        スタンド
１８        拡声装置
２０        振動吸収具
２２        係止具
２４        第一開口部
２６        第二開口部
【図１】
2007097107.tif 000003
【図２】
2007097107.tif 000004